(57)【要約】      （修正有）【課題】耐燃焼や防火、緩衝、耐震、防音、断熱及び保温の多重利点が得られる発泡防火材構造を提供する。【解決手段】少なくとも一つの発泡材で発泡されて形成される発泡層１０と、発泡層の上面やその周辺の所定の箇所に炭化珪素や炭化カルシウムが添加された発泡材で形成される少なくとも一つの防火層２０とからなる。【選択図】図１
0003186410.tif 000002
【実用新案登録請求の範囲】
【請求項１】
少なくとも一つの発泡材で発泡されて形成される発泡層と、
上記発泡層の上面やその周辺の所定の箇所に位置して、耐火材料が添加された発泡材によって発泡されて形成される少なくとも一つの防火層と、
が含有される、ことを特徴とする発泡防火材構造。
【請求項２】
上記発泡層と上記防火層とが、一体的に発泡されて形成されることを特徴とする請求項１に記載の発泡防火材構造。
【請求項３】
上記発泡材が、エチレン−酢酸ビニル共重合体であり、上記耐火材料が、炭化珪素や炭化カルシウムであることを特徴とする請求項１に記載の発泡防火材構造。
【請求項４】
更に、抗菌層が備えられ、上記抗菌層が、上記発泡層と上記防火層との間に設けられ、上記抗菌層が、少なくとも、酸化亜鉛が添加された発泡材で発泡されて形成されることを特徴とする請求項１に記載の発泡防火材構造。
【請求項５】
更に、抗菌層が備えられ、上記抗菌層が、上記防火層の上面及びその周辺の所定の箇所に設けられ、上記抗菌層が、少なくとも、酸化亜鉛が添加された発泡材で発泡されて形成されることを特徴とする請求項１に記載の発泡防火材構造。
【考案の詳細な説明】
【技術分野】
【０００１】
本考案は、発泡防火材構造に関する。
【背景技術】
【０００２】
一般の発泡材は、エチレン−酢酸ビニル共重合体(Ethylene Vinyl Acetate, EVA)やポリウレタン(Polyurethane, PU)、ポリエチレンテレフタレート(Polyethylene Terephthalate, PET)、ポリ塩化ビニル(Polyvinyl
Chloride, PVC)或いはポリプロピレン(Polypropylene, PP)等のプラスチック発泡材料で発泡されて形成され、このような材料は、軽量で優れた緩衝、耐震、防音、断熱及び保温の物性、そして、容易に加工できる等の特性が得られるため、幅広く、充填材や建築材料及びパッキン材等とされる。
【０００３】
従来の発泡材は、低い融点で高温に耐えられない性質を有するため、火に焼かれる時や温度が150℃を超えた時、短時間に融けて、萎縮して燃焼分解し、また、燃焼過程において、更に、毒性ガスが発生し、安全性の問題がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、発泡層を備え、上記発泡層が、少なくとも、発泡材から発泡形成され、上記発泡層の上面やその周辺の所定位置に、防火層が形成され、上記防火層が、少なくとも、炭化珪素が添加された発泡材から発泡形成され、発泡材に、炭化珪素が添加されることにより、上記発泡層に、耐燃焼焼や防火の効果が実現され、温度が1700℃を超えても、その構造の完整性が維持されて、融解や萎縮或いは燃焼が発生しなく、また、毒性ガスを生成しなく、これにより、緩衝や防音及び断熱の効果が得られ、それから、耐燃焼や防火、緩衝、耐震、防音、断熱及び保温の多重利点が得られる、発泡防火材構造を提供する。
【課題を解決するための手段】
【０００６】
請求項１の考案は、少なくとも一つの発泡材で発泡されて形成される発泡層と、上記発泡層の上面やその周辺の所定の箇所に位置して、耐火材料が添加された発泡材によって発泡されて形成される少なくとも一つの防火層と、が含有される、ことを特徴とする発泡防火材構造である。
【０００７】
請求項２の考案は、上記発泡層と上記防火層とが、一体的に発泡されて形成されることを特徴とする請求項１に記載の発泡防火材構造である。
【０００８】
請求項３の考案は、上記発泡材が、エチレン−酢酸ビニル共重合体であり、上記耐火材料が、炭化珪素や炭化カルシウムであることを特徴とする請求項１に記載の発泡防火材構造である。
【０００９】
請求項４の考案は、更に、抗菌層が備えられ、上記抗菌層が、上記発泡層と上記防火層との間に設けられ、上記抗菌層が、少なくとも、酸化亜鉛が添加された発泡材で発泡されて形成されることを特徴とする請求項１に記載の発泡防火材構造である。
【００１０】
請求項５の考案は、更に、抗菌層が備えられ、上記抗菌層が、上記防火層の上面及びその周辺の所定の箇所に設けられ、上記抗菌層が、少なくとも、酸化亜鉛が添加された発泡材で発泡されて形成されることを特徴とする請求項１に記載の発泡防火材構造である。
【００１１】
以下、図面を参照しながら、本考案の特徴や技術内容について、詳しく説明するが、それらの図面等は、参考や説明のためであり、本考案は、それによって制限されることが無い。
【図面の簡単な説明】
【００１２】
【図１】本考案の第一実施例の断面図である。
【図２】本考案の第二実施例の断面図である。
【図３】本考案の第三実施例の断面図である。
【図４】本考案の第二実施例の使用状態図である。
【図５】本考案の第二実施例の他の使用状態図である。
【考案を実施するための形態】
【００１３】
図１は、本考案に係る発泡防火材構造であり、上記発泡防火材構造は、複数の発泡材から発泡形成される発泡層10があり、上記発泡材が、互いに重ね合わされることにより、発泡の厚さが調整され、本考案において、上記発泡材が、エチレン−酢酸ビニル共重合体であるが、それは、ただの一つの実施例で、本考案が、それによって制限されることなく、上記発泡材が、ポリウレタンやポリエチレンテレフタレート、ポリ塩化ビニル或いはポリプロピレンから択ばれてもよく、また、防火層20があり、上記発泡層10の上面やその周辺の所定位置に設けられ、本考案において、上記防火層20は、耐火材料が添加されたエチレン−酢酸ビニル共重合体であり、また、上記耐火材料は炭化珪素であってもよく、上記防火層20が上記発泡層10の上面に設けられ、それは、ただの一つの実施例で、本考案が、それによって制限されることなく、上記耐火材料が炭化カルシウムであっても良い。
【００１４】
図2は、本考案の第二実施例であり、上記第一実施例とは、上記防火層20と上記発泡層10とが、一緒に発泡成型モールドにセットされて、上記発泡成型モールドによって一体に発泡結合され、上記発泡防火材構造100が形成される所が、上記第一実施例と異なる。
【００１５】
エチレン−酢酸ビニル共重合体に、炭化珪素が添加され、また、一体に上記発泡防火材構造100が発泡形成されることにより、上記発泡防火材構造100は、融点が大幅に高くなって、耐燃焼や防火の効果が得られ、上記発泡防火材構造100によれば、温度が1700℃を超えても、その構造の完整性が維持され、融解や萎縮或いは燃焼分解などがなく、また、毒性ガスを生成しなく、緩衝や防音及び断熱の効果が実現され、そのため、上記発泡防火材構造は、耐燃焼や防火、緩衝、耐震、防音、断熱及び保温の多重利点が実現される。
【００１６】
また、上記防火層20に、更に、酸化亜鉛が添加されてもよく、上記防火層20が、エチレン−酢酸ビニル共重合体と炭化珪素及び酸化亜鉛を有する混合物になり、また、上記発泡層10と上記防火層20とが、一体に発泡結合された後、上記発泡防火材構造100に、抗菌の効果が実現され、同時に、耐燃焼や防火及び抗菌の効果が得られ、そのため、上記発泡防火材構造は、耐燃焼や防火、抗菌、緩衝、耐震、防音、断熱及び保温の多重利点が得られる。
【００１７】
図3は、本考案の第三実施例であり、上記の第一実施例とは、その発泡層10とその防火層20との間に、抗菌層30が設けられ、それは、ただの一つの実施例で、本考案が、それによって制限されることなく、上記抗菌層30が、選択的に、上記防火層20の上面やその周辺の所定位置に設けられ、本考案において、上記抗菌層30が、エチレン−酢酸ビニル共重合体に、酸化亜鉛が添加された混合物からなる。
【００１８】
また、上記抗菌層30は、上記発泡層10や上記防火層20と、一緒に発泡成型モールドにセットされ、上記発泡成型モールドにより、一体に、発泡結合されてもよい。
【００１９】
エチレン−酢酸ビニル共重合体に、酸化亜鉛が添加され、また、一体に発泡結合されることにより、抗菌の効果が実現され、そのため、上記発泡防火材構造は、耐燃焼や防火、抗菌、緩衝、耐震、防音、断熱及び保温の多重利点が得られる。
【００２０】
図1乃至図3のように、発泡によって形成された上記発泡防火材構造100は、直接に、独自的に使用されてもよく、上記発泡防火材構造100をスペーサーとして使用すると、防火や耐燃焼、緩衝、耐震、防音、断熱及び保温の効果が実現され、或いは、上記発泡防火材構造100を、天井として使用することができ、また、上記発泡防火材構造100を、他の装飾や建築材料、充填材或いはパッキン材等として適用できる。
【００２１】
図4のように、上記発泡防火材構造100は、直接に、独自的に利用でき、また、上記発泡防火材構造100を、一体的に、従来の天井200の周辺に発泡結合されてもよく、本考案によれば、上記発泡防火材構造100を、一体的に、天井200の下表面に発泡結合させ、そのため、上記発泡防火材構造100により、上記天井200に、防火や耐燃焼、緩衝、耐震、防音、断熱及び保温の効果が与えられる。
【００２２】
図5のように、上記発泡防火材構造100を、一体的にスペーサー300の周辺に発泡結合し、また、上記スペーサー300が、木板を選択することが可能であり、そして、家の建材として利用でき、本考案によれば、上記発泡防火材構造100を、一体的に、スペーサー300表面の両側に発泡結合させ、そのため、上記発泡防火材構造100により、上記スペーサー300に、防火や耐燃焼、緩衝、耐震、防音、断熱及び保温、そして、抗菌の効果が実現される。
【００２３】
そのため、本考案は、より進歩的かつより実用的で、法に従って実用新案登録請求を出願する。
【００２４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２５】
１０      発泡層
１００    発泡防火材構造
２０      防火層
２００    天井
３０      抗菌層
３００    スペーサー
【図１】
0003186410.tif 000003
【図２】
0003186410.tif 000004
【図３】
0003186410.tif 000005
【図４】
0003186410.tif 000006
【図５】
0003186410.tif 000007